(57)【要約】【課題】ラゲージトレイに溜まった水や汚れを速やかに除去して荷物を載せられるようにする。【解決手段】ラゲージトレイ１０が車両前後方向の両端部の立壁１１にそれぞれスリット１２を備え、スリット１２の外側にそれぞれ設けられたハウジング２０と、ハウジング２０に取り付けられた回転軸３１，３２と、回転軸３１，３２の先端に固定され一体に回転するギア３３，３４と、ギア３３，３４間に掛け渡されて駆動力を伝達する駆動ベルト４０と、回転軸３１，３２のそれぞれに固定されるローラー５１，５２と、ローラー５１にロール状に巻いたシート６０とを備え、前記スリット１２に前記シート６０を通してラゲージトレイ底面１３を覆っているシート６０を引っ張ることにより未使用のシート６０をローラー５１から取り出すとともにローラー５２で巻き取るようにする。【選択図】図１
2008162533.tif 000002
【特許請求の範囲】
【請求項１】
底面を有し、外周を立壁で囲って成り、合成樹脂によって一体成型されたラゲージトレイにおいて、該ラゲージトレイが車両前後方向の両端部の立壁にそれぞれスリットを備え、該スリットの外側にそれぞれ設けられたハウジングと、該ハウジングのそれぞれに取り付けられた回転軸と、該回転軸の先端に固定され一体に回転するギアと、該ギア間に掛け渡されて駆動力を伝達する伝達手段と、前記回転軸のそれぞれに固定されるローラーと、該ローラーのうち一方にロール状に巻いたシートとを備え、該シートが前記スリットを通ってラゲージトレイ底面を覆っており前記ローラーのうち他方のローラーで巻き取るようにしたことを特徴とするラゲージトレイ。
【請求項２】
請求項１のラゲージトレイにおいて、前記伝達手段が内歯を備えた駆動ベルトであることを特徴とするラゲージトレイ。
【請求項３】
請求項１又は請求項２に記載のラゲージトレイにおいて、前記シートが吸水シートであることを特徴とするラゲージトレイ。  
【発明の詳細な説明】
【技術分野】
【０００１】
本発明は、車両のラゲージルームに設置して利用するラゲージトレイに関するものである。
【背景技術】
【０００２】
車両のラゲージルームにおいて濡れた荷物や汚れた荷物がラゲージマットやカーペットを濡らしたり汚したりするのを防ぐためラゲージトレイが利用されている。
【０００３】
しかし、従来のラゲージトレイは内部に水が一度溜まるとそのままの状態となり、十分な乾燥を行う前に次の荷物を載せた場合にその水が走行中に流動し、トレイ内の荷物が濡れてしまうという問題があった。
【０００４】
このような問題に鑑み、下記特許文献１に記載のラゲージトレイはコーナー部の周壁より内側に吸水体を脱着可能に備えられている。これによればラゲージトレイ内に溜まった水を速やかに処理して荷物を濡らしたり汚したりすることを防止もしくは最小限に留めることができる旨が記載されている。
【０００５】
しかし、吸水体を配置するようなかかる構成においては汚れに関してはふき取りや取り外しての洗浄が必要である。また、吸水体の能力を超えるとラゲージトレイ内に水が溜まってしまう。そのような場合に荷物を載せると荷物が汚れてしまうという問題がある。    
【特許文献１】特開平８−２０７６７３号公報
【発明の開示】
【発明が解決しようとする課題】
【０００６】
そこで、解決しようとする問題点は、ラゲージトレイに溜まった水や汚れを速やかに除去して荷物を載せられるようにする点である。
【課題を解決するための手段】
【０００７】
上記の課題を解決するため本発明は、請求項１に記載のように底面を有し、外周を立壁で囲って成り、合成樹脂によって一体成型されたラゲージトレイ（１０）において、ラゲージトレイ（１０）が車両前後方向の両端部の立壁（１１）にそれぞれスリット（１２）を備え、該スリット（１２）の外側にそれぞれ設けられたハウジング（２０）と、該ハウジング（２０）のそれぞれに取り付けられた回転軸（３１，３２）と、該回転軸（３１，３２）の先端に固定され一体に回転するギア（３３，３４）と、該ギア（３３，３４）間に掛け渡されて駆動力を伝達する伝達手段（４０）と、前記回転軸のそれぞれに固定されるローラー（５１，５２）と、該ローラーのうち一方（５１）にロール状に巻いたシート（６０）とを備え、該シート（６０）が前記スリット（１２）にを通ってラゲージトレイ底面（１３）を覆っており前記ローラーのうち他方のローラー（５２）で巻き取るようにしている。
【０００８】
また、請求項２に記載のように伝達手段が内歯を備えた駆動ベルト（４０）で構成することができるとともに、請求項３に記載のようにシート（６０）を吸水シートで構成することができる。
【発明の効果】
【０００９】
本発明のラゲージトレイは、トレイの周縁部にシートがロール状に収容されているため、引き出すだけで常に新しいシートに覆われる。したがってラゲージトレイ上の濡れや汚れを簡単に取り除くことができ、荷物の濡れと汚れを確実に防止することができるという利点がある。
【発明を実施するための最良の形態】
【００１０】
ラゲージトレイに置いた荷物の濡れと汚れを防止する目的を、設置のしやすさを損なわずに実現した。
【００１１】
図１及び図２に基づいて本発明の実施の形態を説明する。図１は内部が見やすいようにラゲージトレイ１０及びハウジング２０を想像線で表した斜視図である。図２は駆動機構が見やすいよう側面から見た断面図となっている。ラゲージトレイ１０は合成樹脂による一体成型で構成されており、底面１３を有し、外周を立壁１１で囲って形成されている。この立壁１１は車両の前後方向の両端部にスリット１２を有する。
【００１２】
ハウジング２０は、前記スリット１２を有する立壁１１の外側に形成され、駆動手段３０、伝達手段４０及びロール５１，５２を収容する。各ハウジング２０内に回転軸３１，３２が回転可能に支持され、回転軸３１，３２の先端にはそれぞれギア３３，３４が固定されている。そして、各ギア３３，３４の間を伝達手段たる内歯が設けられた駆動ベルト４０が掛け渡されている。この駆動ベルト４０は弾性を有しており、ベルトのたるみを吸収できるようになっている。また、ギア３３はギア３４より歯数が少し多く設定するとよい。これはシートのすべりによるたるみを巻取り側の回転軸を多めに回転させることで吸収することを目的とする。尚、本実施形態による伝達手段は駆動ベルト４０としたが、例えばチェーン機構でもよく一方の回転軸３１の駆動を他方の回転軸３２に伝達できるものであればこれに限定されるものではない。
【００１３】
前記回転軸３１，３２にはそれぞれローラー５１，５２が固定されており、ローラー５１にシート６０がロール上に巻きついている。そして、そのシート６０の先端がスリット１２を通してラゲージトレイ１０の底面１３上を覆っており、スリット１２を通してローラー５２に固定している。したがって、回転軸３１が駆動することによりローラー５２がシート６０を巻き取る構成になっている。    
【００１４】
次に、本発明にかかるラゲージトレイの作用について説明する。まず、ラゲージトレイ１０の底面１３上のシート６０が濡れたり汚れたりした際に、シートの両側端を手でつかみ、車両後側へ底面と平行に引っ張る。すると、シート６０が巻かれているローラー５１を介して回転軸３１が回転駆動し、回転軸３１に結合されたギア３３が回動する。ギア３３は伝達手段たる駆動ベルト４０を介してギア３４を回動させ、ギア３４に結合されている回転軸３２を回転駆動する。これにより回転軸３２を介してローラー５２が回転駆動してシート６０を巻き取る。このときギア３３，３４の歯数を異ならせているためシート６０のたるみは除去されて巻き取られる。
【００１５】
そして、全てのシートが使用済となったらローラー５１，５２ごと外して新しいシートを巻いたローラ−５１，５２と着け換える。尚、このシート６０は例えば吸水シートとしたが、これに限定されるものではなく、吸水性を有するペーパータオル等とすることもでき、この場合は使用後にそのままシート６０を焼却することができる。  
【００１６】
このように、従来のラゲージトレイに比べてふき取りなどの手間をかけることなく、防水、防汚機能を持続させることができる。
【産業上の利用可能性】
【００１７】
防水、防汚機能を有するラゲージトレイとしての機能のみならず、シートの模様や柄を自由に設定することができ、車内の装飾的な用途にも適用できる。
【図面の簡単な説明】
【００１８】
【図１】ラゲージトレイの全体を示した斜視図である。
【図２】ラゲージトレイのシート巻取りの駆動部分を示した断面図である。
【符号の説明】
【００１９】
１０    ラゲージトレイ
１１    立壁
１２    スリット
１３    底面
２０    ハウジング
３１，３２    回転軸
３３，３４    ギア
４０    駆動ベルト（伝達手段）
５１，５２    ローラ
６０    シート
【図１】
2008162533.tif 000003
【図２】
2008162533.tif 000004